【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
石炭フライアッシュベースのポゾランと、
乳酸をベースとする化学的活性化剤と
を含むセメント質組成物。
【請求項２】
前記化学的活性化剤が、乳酸のpH中性塩である、請求項1記載のセメント質組成物。
【請求項３】
前記化学的活性化剤が、乳酸カリウム、乳酸ナトリウム、乳酸リチウム、乳酸カルシウム、または乳酸マグネシウムを含む、請求項2記載のセメント質組成物。
【請求項４】
前記pH中性塩が、アルカリ金属またはアルカリ土類を含む、請求項2記載のセメント質組成物。
【請求項５】
化学的凝結遅延剤をさらに含む、請求項1記載のセメント質組成物。
【請求項６】
前記凝結遅延剤がホウ素化合物を含む、請求項5記載のセメント質組成物。
【請求項７】
前記ホウ素化合物が、ホウ酸、酸化ホウ素、ホウ酸ナトリウム、テトラホウ酸ナトリウム、ホウ酸カリウムおよびテトラホウ酸カリウム、ホウ砂五水和物、ならびにホウ砂10水和物からなる群より選択される、請求項6記載のセメント質組成物。
【請求項８】
クエン酸活性化剤、アルカリ金属活性化剤、および金属炭酸塩活性化剤を実質的に含有しない、請求項1記載のセメント質組成物。
【請求項９】
乳酸をベースとする化学的活性化剤が、セメント質組成物中における活性化剤の総重量の50重量％より多くを占める、請求項1記載のセメント質組成物。
【請求項１０】
乳酸をベースとする化学的活性化剤が、セメント質組成物中における活性化剤の総重量の95重量％より多くを占める、請求項1記載のセメント質組成物。
【請求項１１】
2時間〜24時間の凝結時間を有する、請求項1記載のセメント質組成物。
【請求項１２】
石炭フライアッシュベースのポゾランが、クラスCのフライアッシュ、クラスFのフライアッシュ、クラスNのポゾランアッシュ、およびそれらの組み合わせからなる群より選択される、請求項1記載のセメント質組成物。
【請求項１３】
石炭フライアッシュベースのポゾランを含む水和可能な組成物と、乳酸をベースとする化学的活性化剤とを混ぜ合わせて硬化したセメント組成物を形成する工程
を含む、硬化したセメント組成物を形成する方法。
【請求項１４】
前記化学的活性化剤が、乳酸のpH中性塩である、請求項13記載の方法。
【請求項１５】
前記化学的活性化剤が、乳酸カリウム、乳酸ナトリウム、乳酸リチウム、乳酸カルシウム、または乳酸マグネシウムを含む、請求項14記載の方法。
【請求項１６】
前記pH中性塩が、アルカリ金属またはアルカリ土類を含む、請求項14記載の方法。
【請求項１７】
化学的凝結遅延剤と、石炭フライアッシュベースのポゾランおよび化学的活性化剤を含む水和可能な組成物とを混ぜ合わせる工程をさらに含む、請求項13記載の方法。
【請求項１８】
前記凝結遅延剤が、ホウ素化合物を含む、請求項17記載の方法。
【請求項１９】
前記ホウ素化合物が、ホウ酸、酸化ホウ素、ホウ酸ナトリウム、テトラホウ酸ナトリウム、ホウ酸カリウムおよびテトラホウ酸カリウム、ホウ砂五水和物、ならびにホウ砂10水和物からなる群より選択される、請求項18記載の方法。
【請求項２０】
硬化したセメント組成物を形成するために、クエン酸活性化剤、アルカリ金属活性化剤、および金属炭酸塩活性化剤が、石炭フライアッシュベースのポゾランを含む水和可能な組成物と混ぜ合わされることがない、請求項13記載の方法。
【請求項２１】
乳酸をベースとする化学的活性化剤が、硬化したセメント組成物を形成するために使用した活性化剤の総重量の50重量％より多くを占める、請求項13記載の方法。
【請求項２２】
乳酸をベースとする化学的活性化剤が、硬化したセメント組成物を形成するために使用した活性化剤の総重量の95重量％より多くを占める、請求項13記載の方法。
【請求項２３】
石炭フライアッシュベースのポゾランを含む水和可能な組成物が、乳酸をベースとする化学的活性化剤と混ぜ合わされた後に2時間を超える凝結時間を有する、請求項13記載の方法。
【請求項２４】
石炭フライアッシュベースのポゾランを含む水和可能な組成物が、クラスCのフライアッシュ、クラスFのフライアッシュ、クラスNのポゾランアッシュ、およびそれらの組み合わせからなる群より選択されたポゾランを含む、請求項13記載の方法。
【請求項２５】
0.1％〜40％の濃度で、化学的活性化剤を含む溶液中に凝結遅延剤を溶解させる工程をさらに含む、請求項13記載の方法。
【請求項２６】
0.1％〜40％の濃度で、化学的活性化剤とは別の溶液中に凝結遅延剤を溶解させる工程をさらに含む、請求項13記載の方法。
【請求項２７】
組成物が、約1.2：1〜約1.4：1のシリカ 対 カルシアのモル比を有する、請求項13記載の方法。
【請求項２８】
凝結遅延剤が、0.1％〜30.0％の濃度で活性化剤の溶液中に溶解している、請求項5記載の好ましい組成物。
【請求項２９】
凝結遅延剤が、10.0％〜30.0％の濃度で活性化剤の溶液中に溶解している、請求項5記載のより好ましい組成物。
【手続補正２】
【補正対象書類名】明細書
【補正対象項目名】００２４
【補正方法】変更
【補正の内容】
【００２４】
他の態様によると、当該水和可能なセメントは、水和可能なセメント中の活性化剤の総重量の30重量％未満、より好ましくは25重量％未満の量でアルカリ金属活性化剤および／またはアルカリ土類金属活性化剤を有していてもよい。他の態様により、当該水和可能なセメントは、水和可能なセメント中の活性化剤の総重量に対して、20重量％未満、15重量％未満、10重量％未満、5重量％未満、および2重量％未満の量においてアルカリ金属活性化剤および／またはアルカリ土類金属活性化剤を有していてもよい。
[本発明1001]
石炭フライアッシュベースのポゾランと、
乳酸をベースとする化学的活性化剤と
を含むセメント質組成物。
[本発明1002]
前記化学的活性化剤が、乳酸のpH中性塩である、本発明1001のセメント質組成物。
[本発明1003]
前記化学的活性化剤が、乳酸カリウム、乳酸ナトリウム、乳酸リチウム、乳酸カルシウム、または乳酸マグネシウムを含む、本発明1002のセメント質組成物。
[本発明1004]
前記pH中性塩が、アルカリ金属またはアルカリ土類を含む、本発明1002のセメント質組成物。
[本発明1005]
化学的凝結遅延剤をさらに含む、本発明1001のセメント質組成物。
[本発明1006]
前記凝結遅延剤がホウ素化合物を含む、本発明1005のセメント質組成物。
[本発明1007]
前記ホウ素化合物が、ホウ酸、酸化ホウ素、ホウ酸ナトリウム、テトラホウ酸ナトリウム、ホウ酸カリウムおよびテトラホウ酸カリウム、ホウ砂五水和物、ならびにホウ砂10水和物からなる群より選択される、本発明1006のセメント質組成物。
[本発明1008]
クエン酸活性化剤、アルカリ金属活性化剤、および金属炭酸塩活性化剤を実質的に含有しない、本発明1001のセメント質組成物。
[本発明1009]
乳酸をベースとする化学的活性化剤が、セメント質組成物中における活性化剤の総重量の50重量％より多くを占める、本発明1001のセメント質組成物。
[本発明1010]
乳酸をベースとする化学的活性化剤が、セメント質組成物中における活性化剤の総重量の95重量％より多くを占める、本発明1001のセメント質組成物。
[本発明1011]
2時間〜24時間の凝結時間を有する、本発明1001のセメント質組成物。
[本発明1012]
石炭フライアッシュベースのポゾランが、クラスCのフライアッシュ、クラスFのフライアッシュ、クラスNのポゾランアッシュ、およびそれらの組み合わせからなる群より選択される、本発明1001のセメント質組成物。
[本発明1013]
石炭フライアッシュベースのポゾランを含む水和可能な組成物と、乳酸をベースとする化学的活性化剤とを混ぜ合わせて硬化したセメント組成物を形成する工程
を含む、硬化したセメント組成物を形成する方法。
[本発明1014]
前記化学的活性化剤が、乳酸のpH中性塩である、本発明1013の方法。
[本発明1015]
前記化学的活性化剤が、乳酸カリウム、乳酸ナトリウム、乳酸リチウム、乳酸カルシウム、または乳酸マグネシウムを含む、本発明1013の方法。
[本発明1016]
前記pH中性塩が、アルカリ金属またはアルカリ土類を含む、本発明1013の方法。
[本発明1017]
化学的凝結遅延剤と、石炭フライアッシュベースのポゾランおよび化学的活性化剤を含む水和可能な組成物とを混ぜ合わせる工程をさらに含む、本発明1013の方法。
[本発明1018]
前記凝結遅延剤が、ホウ素化合物を含む、本発明1017の方法。
[本発明1019]
前記ホウ素化合物が、ホウ酸、酸化ホウ素、ホウ酸ナトリウム、テトラホウ酸ナトリウム、ホウ酸カリウムおよびテトラホウ酸カリウム、ホウ砂五水和物、ならびにホウ砂10水和物からなる群より選択される、本発明1018の方法。
[本発明1020]
硬化したセメント組成物を形成するために、クエン酸活性化剤、アルカリ金属活性化剤、および金属炭酸塩活性化剤が、石炭フライアッシュベースのポゾランを含む水和可能な組成物と混ぜ合わされることがない、本発明1013の方法。
[本発明1021]
乳酸をベースとする化学的活性化剤が、硬化したセメント組成物を形成するために使用した活性化剤の総重量の50重量％より多くを占める、本発明1013の方法。
[本発明1022]
乳酸をベースとする化学的活性化剤が、硬化したセメント組成物を形成するために使用した活性化剤の総重量の95重量％より多くを占める、本発明1013の方法。
[本発明1023]
石炭フライアッシュベースのポゾランを含む水和可能な組成物が、乳酸をベースとする化学的活性化剤と混ぜ合わされた後に2時間を超える凝結時間を有する、本発明1013の方法。
[本発明1024]
石炭フライアッシュベースのポゾランを含む水和可能な組成物が、クラスCのフライアッシュ、クラスFのフライアッシュ、クラスNのポゾランアッシュ、およびそれらの組み合わせからなる群より選択されたポゾランを含む、本発明1013の方法。
[本発明1025]
0.1％〜40％の濃度で、化学的活性化剤を含む溶液中に凝結遅延剤を溶解させる工程をさらに含む、本発明1013の方法。
[本発明1026]
0.1％〜40％の濃度で、化学的活性化剤とは別の溶液中に凝結遅延剤を溶解させる工程をさらに含む、本発明1013の方法。
[本発明1027]
組成物が、約1.2：1〜約1.4：1のシリカ 対 カルシアのモル比を有する、本発明1011の方法。
[本発明1028]
凝結遅延剤が、0.1％〜30.0％の濃度で活性化剤の溶液中に溶解している、本発明1008の好ましい組成物。
[本発明1029]
凝結遅延剤が、10.0％〜30.0％の濃度で活性化剤の溶液中に溶解している、本発明1008のより好ましい組成物。